(57)【要約】【課題】  コンピュータシステムの向きおよびポインティングデバイスの向きに関係なく、ディスプレイ画面上のカーソルをポインティングデバイスの操作通りに移動させることができるポインティングデバイス制御装置およびこれを備えるコンピュータシステムを実現する。【解決手段】  ポインティングデバイス制御装置１は、操作時におけるポインティングデバイスの本体が向く方位に関する第１の方位データを受信する第１の受信手段１１と、コンピュータのディスプレイ画面が向く方位に関する第２の方位データを受信する第２の受信手段１２と、第１の方位データおよび第２の方位データを用いて、ディスプレイ画面上のカーソルの移動方向がポインティングデバイスの操作方向と一致するよう、カーソルの移動方向を補正する補正手段１３と、を備え、コンピュータシステム１００は、このポインティング制御装置１を備える。【選択図】      図１
2005250667.tif 000002
【特許請求の範囲】
【請求項１】
操作時におけるポインティングデバイスの本体が向く方位に関する角度情報である第１の方位データを受信する第１の受信手段と、
コンピュータのディスプレイ画面が向く方位に関する角度情報である第２の方位データを受信する第２の受信手段と、
前記第１の方位データおよび第２の方位データを用いて、前記ポインティングデバイスが接続されたコンピュータのディスプレイ画面上のカーソルの移動方向が前記ポインティングデバイスの操作方向と一致するよう、前記カーソルの移動方向を補正する補正手段と、
を備えることを特徴とするポインティングデバイス制御装置。
【請求項２】
前記第１の方位データは、前記ポインティングデバイスに設けられた第１の地磁気センサから得られる請求項１に記載のポインティングデバイス制御装置。
【請求項３】
前記第２の方位データは、前記ポインティングデバイスが接続された前記コンピュータのディスプレイ画面と共に追従する位置に設けられた第２の地磁気センサから得られる請求項１に記載のポインティングデバイス制御装置。
【請求項４】
前記第２の地磁気センサは、前記コンピュータのディスプレイの本体に設けられる請求項３に記載のポインティングデバイス制御装置。
【請求項５】
前記第２の地磁気センサは、前記コンピュータの本体に設けられる請求項３に記載のポインティングデバイス制御装置。
【請求項６】
前記第２の地磁気センサは、前記コンピュータと着脱可能に接続される請求項１に記載のポインティングデバイス制御装置。
【請求項７】
前記補正手段は、
前記ポインティングデバイスの操作面上のＸＹ座標軸上における前記ポインティングデバイスの操作量のＸＹ成分をそれぞれＤｘおよびＤｙ、
前記ディスプレイ画面のｘｙ座標上における前記カーソルの移動量のｘｙ成分をそれぞれＣｘおよびＣｙ、
前記第１の方位データが示す角度と前記第２の方位データが示す角度とのずれをθとしたとき、
Ｃｘ＝Ｄｘ×ｃｏｓθ＋Ｄｙ×ｓｉｎθ
Ｃｙ＝−Ｄｘ×ｓｉｎθ＋Ｄｙ×ｃｏｓθ
を演算して前記ＣｘおよびＣｙを出力する請求項１に記載のポインティングデバイス制御装置。
【請求項８】
第１の地磁気センサを有するポインティングデバイスであって、前記第１の地磁気センサは、操作時における前記ポインティングデバイスの本体が向く方位に関する角度情報である第１の方位データを出力するポインティングデバイスと、
ディスプレイ画面と共に追従する位置に第２の地磁気センサを有するコンピュータであって、前記第２の地磁気センサは、前記コンピュータのディスプレイ画面が向く方位に関する角度情報である第２の方位データを出力するコンピュータと、
前記第１の方位データおよび第２の方位データを用いて、前記ポインティングデバイスが接続されたコンピュータのディスプレイ画面上のカーソルの移動方向が前記ポインティングデバイスの操作方向と一致するよう、前記カーソルの移動方向を補正するポインティングデバイス制御手段と、
を備えることを特徴とするコンピュータシステム。
【請求項９】
第１の地磁気センサを有するポインティングデバイスであって、前記第１の地磁気センサは、操作時における前記ポインティングデバイスの本体が向く方位に関する角度情報である第１の方位データを出力するポインティングデバイスと、
ディスプレイの本体に第２の地磁気センサが設けられるコンピュータであって、前記第２の地磁気センサは、前記コンピュータのディスプレイ画面が向く方位に関する角度情報である第２の方位データを出力するコンピュータと、
前記第１の方位データおよび第２の方位データを用いて、前記ポインティングデバイスが接続されたコンピュータのディスプレイ画面上のカーソルの移動方向が前記ポインティングデバイスの操作方向と一致するよう、前記カーソルの移動方向を補正するポインティングデバイス制御手段と、
を備えることを特徴とするコンピュータシステム。
【請求項１０】
第１の地磁気センサを有するポインティングデバイスであって、前記第１の地磁気センサは、操作時における前記ポインティングデバイスの本体が向く方位に関する角度情報である第１の方位データを出力するポインティングデバイスと、
該ポインティングデバイスが接続されたコンピュータと通信可能に接続される第２の地磁気センサであって、前記コンピュータのディスプレイ画面が向く方位に関する角度情報である第２の方位データを出力する第２の地磁気センサと、
前記第１の方位データおよび第２の方位データを用いて、前記ポインティングデバイスが接続されたコンピュータのディスプレイ画面上のカーソルの移動方向が前記ポインティングデバイスの操作方向と一致するよう、前記カーソルの移動方向を補正するポインティングデバイス制御手段と、
を備えることを特徴とするコンピュータシステム。
【請求項１１】
前記ポインティングデバイス制御手段は、
前記ポインティングデバイスの操作面上のＸＹ座標軸上における前記ポインティングデバイスの操作量のＸＹ成分をそれぞれＤｘおよびＤｙ、
前記ディスプレイ画面のｘｙ座標上における前記カーソルの移動量のｘｙ成分をそれぞれＣｘおよびＣｙ、
前記第１の方位データが示す角度と前記第２の方位データが示す角度とのずれをθとしたとき、
Ｃｘ＝Ｄｘ×ｃｏｓθ＋Ｄｙ×ｓｉｎθ
Ｃｙ＝−Ｄｘ×ｓｉｎθ＋Ｄｙ×ｃｏｓθ
を演算して前記ＣｘおよびＣｙを出力する請求項８〜１０のいずれか一項に記載のコンピュータシステム。
【発明の詳細な説明】
【技術分野】
【０００１】
本発明は、ディスプレイ画面上のカーソルを移動操作するためのポインティングデバイスを制御するポインティングデバイス制御装置、および、このポインティングデバイス制御装置を備えるコンピュータシステムに関し、特に、地磁気を利用して方位を検知することで操作中のポインティングデバイスの向きを認識しカーソルの移動方向を補正する磁気方位センサ式のポインティングデバイスを制御するポインティングデバイス制御装置、および、このポインティングデバイス制御装置を備えるコンピュータシステムに関する。
【背景技術】
【０００２】
ディスプレイ画面上のカーソルを移動操作するのに用いられるポインティングデバイスには、マウス、ジョイスティック、トラックボールなどがある。例えばボール式マウスの場合、マウスに内蔵されたボールを回転させ、その回転量に基づいてマウスのＸ方向およびＹ方向の移動量の検出を行い、そのデータを相対移動量としてコンピュータに出力する。
【０００３】
通常、ポインティングデバイスにおいては、ある一定の方向に対する向き、すなわちポインティングデバイスの相対移動情報をコンピュータに出力する。この結果、ポインティングデバイス本体を正常な方向に向けずにポインティングデバイスを操作した場合は、ポインティングデバイスの操作方向とディスプレイ画面上のカーソルの移動方向とが一致せず、意図した座標入力を行うことができない。このため、ポインティングデバイスを操作する際は、常にポインティングデバイスが向いている方向について気を配る必要がある。
【０００４】
この問題を解決するため、操作中のポインティングデバイス本体の向きを認識し、コンピュータに出力される移動方向に関するデータを、ポインティングデバイス本体の向きに関する情報を用いて補正し、ポインティングデバイスの操作方向とディスプレイ画面上のカーソルの移動方向とが一致するようにする技術がある。ポインティングデバイス本体の向きの認識は、例えば地磁気センサをポインティングデバイスに内蔵し、ポインティングデバイスの向きを示す方位データを用いることで実現する（例えば、特許文献１または２参照）。
【０００５】
このような地磁気センサ内蔵のポインティングデバイス（以下、「磁気方位センサ式ポインティングデバイス」と称する。）を備えるコンピュータシステムでは、使用開始前に、ポインティングデバイス本体の操作基準となる方位を決定する初期設定を予め実行する必要がある。
【０００６】
【特許文献１】特開昭６３−２２０３１３号公報
【特許文献２】特開平５−２８９８１４号公報
【発明の開示】
【発明が解決しようとする課題】
【０００７】
磁気方位センサ式ポインティングデバイスを備えるコンピュータシステムにおいては、ディスプレイ画面の向きを変更したりコンピュータ本体を移動させるなどのように、コンピュータシステムの配置を変更した場合には、初期設定で既に確定していたポインティングデバイス本体の操作基準となる方位と、その後のポインティングデバイス本体の操作基準となるべき方位と、がずれてしまうため、再度、初期設定を実行しなければならない。
【０００８】
特に、自動車、鉄道、飛行機もしくは船舶などの移動交通手段上で磁気方位センサ式ポインティングデバイスを備えるコンピュータシステムを用いる場合は、時々刻々とコンピュータシステムの向きが変化するので、磁気方位センサ式ポインティングデバイスであってもポインティングデバイスの操作方向とディスプレイ画面上の移動方向とがずれてしまい、磁気方位センサ式ポインティングデバイス本来の機能を享受することができない。
【０００９】
従って本発明の目的は、上記問題に鑑み、コンピュータシステムの向きに関係なく、かつ、ポインティングデバイスの向き気を配ることなく、ディスプレイ画面上のカーソルをポインティングデバイスの操作通りに移動させることができるポインティングデバイス制御装置、および、このポインティングデバイス制御装置を備えるコンピュータシステムを提供することにある。
【課題を解決するための手段】
【００１０】
上記目的を実現するために、本発明においては、操作時におけるポインティングデバイスの本体が向く方位に関する角度情報である第１の方位データと共に、コンピュータのディスプレイ画面が向く方位に関する角度情報である第２の方位データを用いて、ポインティングデバイスが接続されたコンピュータのディスプレイ画面上のカーソルの移動方向がポインティングデバイスの操作方向と一致するよう、カーソルの移動方向を補正する。
【００１１】
図１は、本発明によるポインティングデバイス制御装置の原理ブロック図である。以降、異なる図面において同じ参照番号が付されたものは同じ構成要素であることを意味するものとする。
【００１２】
本発明によるポインティングデバイス制御装置１は、
操作時におけるポインティングデバイスの本体が向く方位に関する角度情報である第１の方位データを受信する第１の受信手段１１と、
コンピュータのディスプレイ画面が向く方位に関する角度情報である第２の方位データを受信する第２の受信手段１２と、
第１の方位データおよび第２の方位データを用いて、ポインティングデバイスが接続されたコンピュータのディスプレイ画面上のカーソルの移動方向がポインティングデバイスの操作方向と一致するよう、カーソルの移動方向を補正する補正手段１３と、を備える。
【００１３】
図２は、本発明によるコンピュータシステムの概略図である。
【００１４】
本発明によるコンピュータシステム１００は、
第１の地磁気センサを有するポインティングデバイス２であって、第１の地磁気センサは、操作時におけるポインティングデバイス２の本体が向く方位に関する角度情報である第１の方位データを出力するポインティングデバイス２と、
ディスプレイ４の画面４−１と共に追従する位置に第２の地磁気センサを有するコンピュータ３であって、第２の地磁気センサは、コンピュータ３のディスプレイ画面４−１が向く方位に関する角度情報である第２の方位データを出力するコンピュータ３と、
第１の方位データおよび第２の方位データを用いて、ポインティングデバイス２が接続されたコンピュータ３のディスプレイ画面４−１上のカーソルの移動方向がポインティングデバイスの操作方向と一致するよう、カーソルの移動方向を補正するポインティングデバイス制御手段１−１と、を備える。
【００１５】
なお、上記コンピュータ３の変形例として、ディスプレイ４の本体に第２の地磁気センサが設けられ、このときの第２の地磁気センサが、コンピュータ３のディスプレイ画面４−１が向く方位に関する角度情報である第２の方位データを出力するようにしてもよい。
【００１６】
あるいはまた、上記コンピュータシステム１の変形例として、第２の地磁気センサ（図示せず）を、ポインティングデバイス２が接続されたコンピュータ３と着脱可能に接続されるいわゆる外付け装置として実現してもよく、この場合もコンピュータ３のディスプレイ画面４−１が向く方位に関する角度情報である第２の方位データを出力するようにすればよい。
【発明の効果】
【００１７】
本発明によれば、コンピュータシステムの向きに関係なく、かつ、ポインティングデバイスの向きに気を配ることなく、ディスプレイ画面上のカーソルをポインティングデバイスの操作通りの方向に移動させることができる。
【発明を実施するための最良の形態】
【００１８】
図３は、本発明の実施例によるコンピュータシステムの概略図である。
【００１９】
本実施例のポインティングデバイス制御装置１は、操作時におけるポインティングデバイスの本体が向く方位に関する角度情報である第１の方位データを受信する第１の受信手段１１と、コンピュータのディスプレイ画面が向く方位に関する角度情報である第２の方位データを受信する第２の受信手段１２と、第１の方位データおよび第２の方位データを用いて、ポインティングデバイスが接続されたコンピュータのディスプレイ画面上のカーソルの移動方向がポインティングデバイスの操作方向と一致するよう、カーソルの移動方向を補正する補正手段１３と、を備える。本実施例のポインティングデバイス制御装置１は、ポインティングデバイス２から出力される操作量データを処理してディスプレイ画面上に表示するためのデータを生成する処理装置の一部として、コンピュータ内にハードウェア形式およびソフトウェア形式で実現すればよい。
【００２０】
ポインティングデバイス２は、ポインティングデバイス２が操作されたときのＸ軸方向およびＹ軸方向の操作量をそれぞれ検知するＸ軸操作量検知手段２１およびＹ軸操作量検知手段２２を備えると共に、ポインティングデバイス２の本体が向く方位を検知し、この方位を角度情報の形式で第１の方位データとして出力する第１の地磁気センサを備える。第１の地磁気センサ１４は、後述するように、ポインティングデバイス２の本体が向く方位を検知できる位置であれば、ポインティングデバイス２のどこに設けてもよい。
【００２１】
第２の地磁気センサ１５は、ポインティングデバイス２が接続されたコンピュータのディスプレイ４の画面と共に追従する位置に設けられ、コンピュータのディスプレイ画面が向く方位を検知し、この角度情報を第２の方位データとして出力する。なお、第２の地磁気センサ１５の設置場所の具体例については後述する。
【００２２】
補正手段１３は、第１の受信手段１１によって受信された第１の方位データと第２の受信手段１２によって受信された第２の方位データとを用いて、ポインティングデバイス２が接続されたコンピュータのディスプレイ画面上のカーソルの移動方向がポインティングデバイス２の操作方向と一致するよう、カーソルの移動方向を補正する。補正手段１３によって補正された移動量データはカーソル表示手段２３に出力され、ディスプレイ４はこの補正済みの移動量データに基づいてカーソルをディスプレイ画面上に表示する。
【００２３】
ここで、補正手段１３による演算処理について、図４〜６を用いて具体的に説明する。
【００２４】
図４は、ポインティングデバイス本体が正常な方向に向いていないような使われ方をする一例を示す図である。図中、ｘｙ座標平面上において、ポインティングデバイス２の正常な方向をｙ軸方向としたとき、ポインティングデバイス２を図示するように角度θだけ傾けて使用する場合を考える。「ポインティングデバイス２の正常な向き」とは、ディスプレイ画面に正対する方向を意味する。すなわち、図３の例では、ｙ軸の正の方向の延長線上にディスプレイがあり、その画面がｙ軸の正の方向から負の方向に向って向いている。このｘｙ座標系は、角度θずれたディスプレイ画面上の座標平面に対応する。ここで、ポインティングデバイス２を基準として見た相対座標平面を、図中、一点鎖線のＸ軸およびＹ軸で示されるＸＹ座標平面として定義する。
【００２５】
図５および６は、ポインティングデバイス本体の向きとポインティングデバイスが出力する操作量データとの関係を説明する図である。すなわち、図５および６は、図４で説明したようにポインティングデバイス２を正常な方向から角度θだけ傾けて使用した場合を例示するものである。
【００２６】
例えば、図５（ａ）に示すように、ポインティングデバイス２を正常な方向から角度θだけ傾けたままで、ｘｙ座標平面上をｘ軸方向、すなわち太字実線の矢印の方向に操作する場合を考える。この場合は、例えばユーザが、カーソルをディスプレイ画面上のｘ軸方向に移動させるべく、ポインティングデバイス２が置かれた操作面上のｘ軸方向にポインティングデバイス２を操作したが、無意識のうちにポインティングデバイス２を正常な方向から角度θだけずれていた場合が相当する。
【００２７】
すると、図５（ｂ）に示すように、ポインティングデバイス２から見れば、ＸＹ座標平面上を太字実線の矢印の方向に操作されたとみなされる。このとき、ポインティングデバイス２が出力する移動量データを、角度θのずれを考慮した補正を行わずに図３のカーソル表示手段２３に出力すると、ディスプレイ４の画面上には、図５（ｂ）に示すようにＸＹ座標平面上の第１象限を斜め方向に移動するカーソルが表示されてしまう。つまり、ユーザがポインティングデバイス２を操作した方向と実際にカーソルが移動した方向との間に角度θだけズレが生じてしまうことになる。このとき仮に、図３の表示手段に入力される移動量データが、太字点線の矢印で示されるような、ＸＹ座標平面上のＸ軸方向への移動を示すものであれば、ポインティングデバイス２の操作方向とカーソルの移動方向とが一致する。太字実線の矢印と太字点線の矢印との間には、ポインティングデバイス２の正常な使用方向からのズレである角度θだけのズレが存在している。図５（ｃ）に示すように、ポインティングデバイス２が出力した図中太字実線の矢印で示される移動量データを、角度マイナスθだけ回転移動させて太字点線の矢印で示される移動量データとなるよう補正し、図３のカーソル表示手段２３へ出力すれば、ポインティングデバイス２の操作方向とカーソルの移動方向とを一致させることができることがわかる。
【００２８】
また別の例として、図６（ａ）に示すように、ポインティングデバイス２を正常な方向から角度θだけずれたままで、この角度θずれた方向（すなわち、図中、太字実線の矢印の方向）にポインティングデバイス２を操作する場合を考える。この場合は、例えばユーザが、カーソルをディスプレイ画面上の第１象限の斜め方向に移動させるべく、ポインティングデバイス２が置かれた操作面上の第１象限の斜め方向にポインティングデバイス２を操作したが、無意識のうちにポインティングデバイス２を正常な方向から角度θだけずれていた場合が相当する。
【００２９】
すると、図５（ｂ）に示すように、ポインティングデバイス２から見れば、ＸＹ座標平面上を太字実線の矢印の方向に操作されたとみなされる。このとき、ポインティングデバイス２が出力する移動量データを、角度θのずれを考慮した補正を行わずに図３のカーソル表示手段２３に出力すると、ディスプレイ４の画面上には、図６（ｂ）に示すようにＸＹ座標平面上のＹ軸方向に移動するカーソルが表示されてしまう。そこで、図６（ｃ）に示すように、ポインティングデバイス２が出力した図中太字実線の矢印で示される移動量データを、角度マイナスθだけ回転移動させて太字点線の矢印で示される移動量データとなるよう補正し、これを図３のカーソル表示手段２３に出力し、ポインティングデバイス２の操作方向とカーソルの移動方向とを一致させる。
【００３０】
以上のように、ポインティングデバイス２を正常な方向から角度θだけ傾けたままで操作した場合であっても、ポインティングデバイス２が出力する移動量データを、角度マイナスθだけ回転移動させる補正を行えば、ポインティングデバイス２の操作方向とカーソルの移動方向とを一致させることができる。ここで、角度マイナスθだけ回転移動させる一次変換の行列Ｑは、
【数１】
2005250667.tif 000003
で表される。
【００３１】
既に説明したように、本発明では、ポインティングデバイスの本体が向く方位に関する角度情報（すなわち第１の方位データ）だけではなく、コンピュータのディスプレイ画面が向く方位に関する角度情報（すなわち第２の方位データ）を得ている。これら２つの角度情報が示す角度のずれは、ディスプレイ画面の向きに対してポインティングデバイスがどの方向に向いているかを示す情報源となる。したがって、本発明では、第１の方位データが示す角度と第２の方位データが示す角度とのずれを、上述したθとみなして補正処理に利用する。
【００３２】
具体的な補正演算式は次のようになる。ポインティングデバイス２の操作面上のＸＹ座標軸上におけるポインティングデバイス２の操作量のＸＹ成分をそれぞれＤｘおよびＤｙ、ディスプレイ画面のｘｙ座標上におけるカーソルの移動量のｘｙ成分をそれぞれＣｘおよびＣｙ、第１の方位データが示す角度と第２の方位データが示す角度とのずれをθとしたとき、上記の回転行列Ｑを用いて、
Ｃｘ＝Ｄｘ×ｃｏｓθ＋Ｄｙ×ｓｉｎθ
Ｃｙ＝−Ｄｘ×ｓｉｎθ＋Ｄｙ×ｃｏｓθ
を演算すれば、ポインティングデバイス２の操作方向とディスプレイ画面上のカーソルの移動方向とを一致させる補正済みの移動量ＣｘおよびＣｙを得ることができる。これにより、何らかの原因でディスプレイ画面の向きが変わっても、このときのディスプレイ画面が向く方位に関する角度情報を考慮に入れてポインティングデバイス２の操作量データが自動的に補正されるので、ポインティングデバイス２の操作方向とディスプレイ画面上のカーソルの移動方向との整合性が図られることになる。したがって、ユーザは、ポインティングデバイスの操作時に、ポインティングデバイスが向いている方向について気を配る必要はなくなり、ユーザの負担が軽減する。
【００３３】
次に、第１の地磁気センサ１４および第２の地磁気センサ１５の設置場所の具体例について説明する。図７〜９は、本発明における各地磁気センサの設置例を示す概略図である。
【００３４】
図７〜９に示すように、操作時におけるポインティングデバイスの本体が向く方位に関する角度情報である第１の方位データを出力する第１の地磁気センサ１４については、ポインティングデバイス２の本体が向く方位を検知できる位置であれば、ポインティングデバイス２のどこに設けてもよい。
【００３５】
一方、コンピュータのディスプレイ画面が向く方位に関する角度情報である第２の方位データを出力する第２の磁気センサ１５は、ポインティングデバイスが接続されたコンピュータのディスプレイ画面と共に追従する位置に設ける。
【００３６】
例えば、図７に示すように、第２の地磁気センサ１５は、コンピュータ３に接続されたのディスプレイの本体４に設けられる。
【００３７】
またあるいは、図８に示すように、第２の地磁気センサ１５は、コンピュータの本体３に設けられる。この場合は、コンピュータ３とディスプレイ４とは好ましくは一体化されており、あるいは分離している場合であってもコンピュータ３の向く方位とディスプレイ４の向く方位とが常に一致するのがよい。
【００３８】
さらに別の例として、図９に示すように、第２の地磁気センサ１５は、コンピュータと着脱可能に接続される外付け装置として設けられる。この場合は、コンピュータ３およびディスプレイ４などが同一の作業机やテーブルなどに置かれて、さらに第２の地磁気センサ１５もこの同一の作業机やテーブルに置かれていることが好ましい。例えば電車に乗車中、コンピュータ３、ディスプレイ４および第２の地磁気センサ１５を座席近くのテーブルに全て載せて作業をする利用方法が考えられる。なお、図９に示す例については、第１の地磁気センサ１４を搭載したポインティングデバイス２、第２の地磁気センサ１５、および本発明によるポインティングデバイス制御装置を実現するソフトウェアを１つのパッケージにして販売すれば、従来からあるコンピュータであっても、容易に本発明の利点を享受することができる。
【００３９】
なお、図７〜９に示す第１の地磁気センサ１４を搭載するポインティングデバイス２とコンピュータ３との接続、および、図９に示す第２の地磁気センサ１５とコンピュータ３との接続は、公知の無線方式あるいは有線方式のいずれであってもよい。
【００４０】
また、上記の説明ではデスクトップ型のコンピュータについて説明したがノート型もしくはラップトップ型のコンピュータであってもよい。特にノート型もしくはラップトップ型のコンピュータの場合は、外付けのポインティングデバイスを用いる場合に効果的である。また、ポインティングデバイス２は、マウス、ジョイスティックあるいはトラックボールなど、いずれの場合にも適用できる。
【産業上の利用可能性】
【００４１】
地磁気を利用して方位を検知することで操作中のポインティングデバイスの向きを認識してカーソルの移動方向を補正する磁気方位センサ式のポインティングデバイスを、自動車、鉄道、飛行機もしくは船舶などの移動交通手段上で用いても、ポインティングデバイスの操作方向とディスプレイ画面上の移動方向とが一致する。移動交通手段上の座席でコンピュータシステムを用いる場合は、ポインティングデバイスを使用する場所に制約があることが多いが、本発明によれば、ユーザはポインティングデバイスが向いている方向に気を配る必要がなく、ユーザの負担が軽減する。
【図面の簡単な説明】
【００４２】
【図１】本発明によるポインティングデバイス制御装置の原理ブロック図である。
【図２】本発明によるコンピュータシステムの概略図である。
【図３】本発明の実施例によるコンピュータシステムの概略図である。
【図４】ポインティングデバイス本体が正常な方向に向いていないような使われ方をする一例を示す図である。
【図５】ポインティングデバイス本体の向きとポインティングデバイスが出力する操作量データとの関係を説明する図（その１）である。
【図６】ポインティングデバイス本体の向きとポインティングデバイスが出力する操作量データとの関係を説明する図（その２）である。
【図７】本発明における各地磁気センサの設置例を示す概略図（その１）である。
【図８】本発明における各地磁気センサの設置例を示す概略図（その２）である。
【図９】本発明における各地磁気センサの設置例を示す概略図（その３）である。
【符号の説明】
【００４３】
１…ポインティングデバイス制御装置
１−１…ポインティングデバイス制御手段
２…ポインティングデバイス
３…コンピュータ
４…ディスプレイ
４−１…ディスプレイ画面
１１…第１の受信手段
１２…第２の受信手段
１３…補正手段
１４…第１の地磁気センサ
１５…第２の地磁気センサ
２１…Ｘ軸操作量検知手段
２２…Ｙ軸操作量検知手段
２３…カーソル表示手段
１００…コンピュータシステム
【図１】
2005250667.tif 000004
【図２】
2005250667.tif 000005
【図３】
2005250667.tif 000006
【図４】
2005250667.tif 000007
【図５】
2005250667.tif 000008
【図６】
2005250667.tif 000009
【図７】
2005250667.tif 000010
【図８】
2005250667.tif 000011
【図９】
2005250667.tif 000012